(57)【特許請求の範囲】
【請求項１】
複数の走査線と、複数のデータ線と、前記各走査線と前記各データ線との交差に対応して設けられたトランジスタと画素電極とを有する電気光学装置の駆動方法であって、
前記走査線を順次選択し、
前記走査線が選択された期間において、
前記データ線を複数本毎にまとめた複数のブロックを順次選択し、選択中のブロックの各データ線に対応する画像信号を同時に供給し、
前記選択中のブロックに属するデータ線のうち次に選択されるブロックに隣接する第１のデータ線に対応する画像信号を、次に選択されるブロックに属し前記第１のデータ線に隣接する第２のデータ線の電圧変化を予測した結果に基づいて、前記第１のデータ線に対応する画像信号を予め補正して前記第１のデータ線に供給することを特徴とする電気光学装置の駆動方法。
【請求項２】
前記第２のデータ線の電圧変化を、前記第２のデータ線に対応する画像信号に基づいて予測することを特徴とする請求項１に記載の電気光学装置の駆動方法。
【請求項３】
前記電気光学装置は、前記画像信号を順次サンプリングして前記各データ線に供給するサンプリングトランジスタを備え、
前記第２のデータ線の電圧変化を、前記第２のデータ線に対応する画像信号およびサンプリングトランジスタの降下電圧に基づいて予測することを特徴とする請求項１に記載の電気光学装置の駆動方法。
【請求項４】
複数の走査線と、複数のデータ線と、前記各走査線と前記各データ線との交差に対応して設けられたトランジスタと画素電極とを有し、前記データ線を複数本毎にまとめたブロックを順次選択して駆動する電気光学装置の駆動方法であって、
前記複数のデータ線にプリチャージ電圧を印加した後、
選択中の前記ブロックに属するデータ線のうち次に選択されるブロックに隣接する第１のデータ線に対応する画像信号を、次に選択されるブロックに属し前記第１のデータ線に隣接する第２のデータ線の電圧変化を予測した結果に基づいて、予め補正して前記第１のデータ線に供給することを特徴とする電気光学装置の駆動方法。
【請求項５】
前記第２のデータ線の電圧変化を、前記第２のデータ線に対応する画像信号と前記プリチャージ電圧に基づいて予測することを特徴とする請求項４に記載の電気光学装置の駆動方法。
【請求項６】
前記電気光学装置は、前記画像信号を順次サンプリングして各データ線に供給するサンプリングトランジスタを備え、
前記第２のデータ線の電圧変化を、前記第２のデータ線に対応する画像信号、サンプリングトランジスタの降下電圧および前記プリチャージ電圧に基づいて予測することを特徴とする請求項４に記載の電気光学装置の駆動方法。
【請求項７】
複数の走査線と、複数のデータ線と、前記各走査線と前記各データ線との交差に対応して設けられたトランジスタと画素電極とを有し、各走査線を順次選択し、前記データ線を複数本毎にまとめたブロック毎に並列化画像信号を印加する電気光学装置の画像処理回路であって、
前記ブロックを構成するデータ線の本数に応じて、入力画像信号を時間軸伸長するとともに並列化して、複数の並列化画像信号を生成する並列化手段と、
あるブロックに属するデータ線のうち次に選択されるブロックに隣接する第１のデータ線に対応する並列化画像信号を、次に選択されるブロックに属し前記第１のデータ線に隣接する第２のデータ線の電圧変化を予測した結果に基づいて、補正を施す補正手段と、
補正された並列化画像信号と他の並列化画像信号とまとめて出力する出力手段と
を具備することを特徴とする電気光学装置の画像処理回路。
【請求項８】
前記電気光学装置は、前記走査線が選択された期間において、前記データ線に予め定められたプリチャージ電圧を印加した後、前記データ線を複数本毎にまとめたブロック毎に前記並列化画像信号を印加するものであって、
前記補正手段は、前記第２のデータ線に対応する並列化画像信号と前記プリチャージ電圧とに基づいて、前記第２のデータ線の電圧変化を予測することを特徴とする請求項７に記載の電気光学装置の画像処理回路。
【請求項９】
前記電気光学装置は、一方の基板に前記走査線、前記データ線、前記トランジスタおよび画素電極を形成し、これと対向する他方の基板に対向電極とを備え、前記走査線が選択された期間において、前記データ線に予め定められたプリチャージ電圧を印加した後、前記データ線を複数本毎にまとめたブロック毎にサンプリングトランジスタを介して並列化画像信号を印加するものであって、
前記出力手段は、補正された並列化画像信号と他の並列化画像信号とをまとめるとともに、一定周期の極性反転信号に従ってそれらの極性を前記対向電極の電位を基準として反転して出力し、
前記補正手段は、前記第２のデータ線に対応する並列化画像信号、前記プリチャージ電圧、および前記サンプリングトランジスタの降下電圧に基づいて、前記第２のデータ線の電圧変化を予測することを特徴とする請求項７に記載の電気光学装置の画像処理回路。
【請求項１０】
前記電気光学装置は、前記走査線が選択された期間において、前記データ線に予め定められたプリチャージ電圧を印加した後、前記データ線を複数本毎にまとめたブロック毎に並列化画像信号を印加するものであって、
前記入力画像信号はアナログ信号であり、
前記補正手段は、前記入力画像信号をブロック周期でサンプルホールドして前記第２のデータ線に対応する並列化画像信号を出力するサンプルホールド回路と、
前記サンプルホールド回路から出力される並列化画像信号と、前記プリチャージ電圧とに基づいて補正信号を生成する補正信号生成回路と、
前記並列化手段から出力される補正の対象となる並列化画像信号と、前記補正信号を合成して補正した並列化画像信号を出力する合成回路と
を備えることを特徴とする請求項７に記載の電気光学装置の画像処理回路。
【請求項１１】
前記入力画像信号はアナログ信号であり、
前記補正手段は、前記入力画像信号をブロック周期でサンプルホールドして前記第２のデータ線に対応する並列化画像信号を出力するサンプルホールド回路と、
前記サンプルホールド回路から出力される並列化画像信号と、前記極性反転信号に基づいて前記降下電圧を算出する第１算出回路と、
前記降下電圧算出回路によって算出された降下電圧と前記サンプルホールド回路から出力される並列化画像信号とに基づいて、前記第２のデータ線に供給する書込電圧を算出する第２算出回路と、
前記書込電圧と前記プリチャージ電圧とに基づいて補正信号を生成する補正信号生成回路と、
前記並列化手段から出力される補正の対象となる並列化画像信号と、前記補正信号とを合成して補正した並列化画像信号を出力する合成回路と
を備えることを特徴とする請求項９に記載の電気光学装置の画像処理回路。
【請求項１２】
複数の走査線と、複数のデータ線と、前記各走査線と前記各データ線との交差に対応して設けられたトランジスタと画素電極とを有し、各走査線を順次選択し、前記データ線を複数本毎にまとめたブロック毎に並列化画像信号を印加する電気光学装置の画像処理回路であって、
入力画像信号の中から、あるブロックに属するデータ線のうち次に選択されるブロックに隣接する第１のデータ線に対応する画像信号を特定し、次に選択されるブロックに属し前記第１のデータ線に隣接する第２のデータ線の電圧変化を予測した結果に基づいて、当該画像信号に補正を施す補正手段と、
前記ブロックを構成するデータ線の本数に応じて、前記補正手段の出力信号を時間軸伸長するとともに並列化して、複数の並列化画像信号を生成する並列化手段と
を具備することを特徴とする電気光学装置の画像処理回路。
【請求項１３】
前記入力画像信号はデジタル信号であり、前記補正手段は、
前記入力画像信号をブロック周期毎に特定の１サンプル期間選択する選択回路と、
信号値と補正値とを対応付けて予め記憶しており、前記選択回路の出力信号が供給されると、当該出力信号の値に応じた補正信号を出力する記憶回路と、
前記入力画像信号と前記補正信号とを合成する合成回路と
を具備することを特徴とする請求項１２に記載の電気光学装置の画像処理回路。
【請求項１４】
前記電気光学装置は、前記走査線が選択された期間において、前記データ線に予め定められたプリチャージ電圧を印加した後、前記データ線を複数本毎にまとめたブロック毎に並列化画像信号を印加するものであって、
前記補正値は、前記プリチャージ電圧と前記信号値とに基づいて、定められていることを特徴とする請求項１３に記載の電気光学装置の画像処理回路。
【請求項１５】
前記記憶回路は、前記第２のデータ線の画像データに対応した補正テーブルを有していることを特徴とする請求項１３に記載の電気光学装置の画像処理回路。
【請求項１６】
前記電気光学装置は、一方の基板に前記走査線、前記データ線、前記トランジスタおよび画素電極を形成し、これと対向する他方の基板に対向電極とを備え、前記データ線に予め定められたプリチャージ電圧を印加した後、前記データ線を複数本毎にまとめたブロック毎にサンプリングトランジスタを介して並列化画像信号を印加するものであって、
前記並列化手段から出力される複数の並列化画像信号を一定周期の極性反転信号に従ってそれらの極性を前記対向電極の電位を基準として反転して出力する極性反転手段を備え、
前記入力画像信号はデジタル信号形式の入力画像データであり、前記補正手段は、
前記入力画像データをブロック周期毎に特定の１サンプル期間選択する選択回路と、
画像データ値と補正データ値とを対応付けて正極性用の補正データを記憶する第１記憶回路と、
画像データ値と補正データ値とを対応付けて負極性用の補正データを記憶する第２記憶回路と、
前記極性反転信号に基づいて前記選択回路の出力データを前記第１記憶回路または前記第２記憶回路に供給して、対応する補正データを読み出す読出手段と、
前記入力画像データと前記読出手段によって読み出された補正データを合成する合成回路と
を備えることを特徴とする請求項１２に記載の電気光学装置の画像処理回路。
【請求項１７】
前記入力画像信号はデジタル信号であり、前記並列化手段は、
前記補正手段のデジタル出力信号をＤ／Ａ変換するＤ／Ａ変換回路と、
前記Ｄ／Ａ変換回路のアナログ出力信号を、ブロックを構成するデータ線の本数に応じて、時間軸伸長するとともに並列化して複数のアナログ並列化画像信号を生成する並列化回路と
を具備することを特徴とする請求項１２または１６に記載の電気光学装置の画像処理回路。
【請求項１８】
前記入力画像信号はデジタル信号であり、前記並列化手段は、
前記補正手段のデジタル出力信号を、ブロックを構成するデータ線の本数に応じて、時間軸伸長するとともに並列化して複数のデジタル並列化画像信号を生成する並列化回路と、
前記並列化回路によって得られる複数のデジタル並列化画像信号をＤ／Ａ変換して複数のアナログ並列化画像信号を出力するＤ／Ａ変換回路と
を備えることを特徴とする請求項１２または１６に記載の電気光学装置の画像処理回路。
【請求項１９】
請求項７または１２に記載の画像処理回路と、
前記走査線を順次選択する走査線駆動手段と、
前記走査線が選択された期間において、前記データ線を複数本毎にまとめたブロックを順次選択することにより、前記並列化画像信号を選択されたブロックに属するデータ線の各々に供給するブロック駆動手段と、
ブロックが選択される前に、当該ブロックのデータ線にプリチャージ電圧を印加するプリチャージ手段と
を備えたことを特徴とする電気光学装置。
【請求項２０】
前記プリチャージ手段は、前記プリチャージ電圧を黒色または白色の表示に相当する電圧レベルに設定することを特徴とする請求項１９に記載の電気光学装置。
【請求項２１】
請求項１９記載の電気光学装置を表示部に用いたことを特徴とする電子機器。
【発明の詳細な説明】
【０００１】
【発明の属する技術分野】
本発明は、例えば、液晶表示装置などの電気光学装置に用いて好適な電気光学装置、その駆動方法、その画像処理回路、および、その電気光学装置を表示部に用いた電子機器に関する。
【０００２】
【従来の技術】
従来の電気光学装置、例えば、アクティブマトリクス型の液晶表示装置について、図１５および図１６を参照して説明する。
【０００３】
まず、図１６に示されるように、従来の液晶表示装置は、液晶表示パネル１００と、タイミング回路２００と、画像信号処理回路３００とから構成される。このうち、タイミング回路２００は、各部で使用されるタイミング信号（必要に応じて後述する）を出力するものである。また、画像信号処理回路３００内部における相展開回路３０１は、一系統の画像信号ＶＩＤを入力すると、これをＮ相（図においてはＮ＝６）の画像信号に展開して出力するものである。ここで、画像信号をＮ相に展開する理由は、後述するサンプリング回路において、ＴＦＴに供給される画像信号の印加時間を長くして、ＴＦＴパネルのデータ信号のサンプリング時間および充放電時間を十分に確保するためである。
【０００４】
一方、増幅・反転回路３０２は、画像信号を以下の条件で極性反転させて適宜、増幅してから、相展開された画像信号ＶＩＤ１〜ＶＩＤ６として液晶表示パネル１００に供給するものである。ここで極性反転とは、画像信号の振幅中心電位を基準電位として、その電圧レベルを交互に反転させることをいう。また、反転するか否かについては、データ信号の印加方式が▲１▼走査線単位の極性反転であるか、▲２▼データ信号線単位の極性反転であるか、▲３▼画素単位の極性反転であるかに応じて定められ、その反転周期は、１水平走査期間またはドットクロック周期に設定される。ただし、この従来例においては説明の便宜上、▲１▼走査線単位の極性反転である場合を例にとって説明する。
【０００５】
また、タイミング回路２００により生成されるプリチャージ信号ＮＲＳは、極性反転した信号であって液晶表示パネル１００に供給される。
【０００６】
次に、液晶表示パネル１００について説明する。この液晶表示パネル１００は、素子基板と対向基板とが間隙をもって対向し、この間隙に液晶が封入された構成となっている。ここで、素子基板と対向基板とは、石英基板や、ハードガラス等からなる。
【０００７】
このうち、素子基板にあっては、図１６においてＸ方向に沿って平行に複数本の走査線１１２が配列して形成され、また、これと直交するＹ方向に沿って平行に複数本のデータ線１１４が形成されている。ここで、各データ線１１４は６本を単位としてブロック化されており、これらをブロックＢ１〜Ｂｍとする。以降説明の便宜上、一般的なデータ線を指摘する場合には、その符号を１１４として示すが、特定のデータ線を指摘する場合には、その符号を１１４ａ〜１１４ｆとして示すこととする。
【０００８】
そして、これらの走査線１１２とデータ線１１４との各交点においては、スイッチング素子として、例えば、各薄膜トランジスタ（Ｔｈｉｎ  Ｆｉｌｍ  Ｔｒａｎｓｉｓｔｏｒ：以下、「ＴＦＴ」と称する）１１６のゲート電極が走査線１１２に接続される一方、ＴＦＴ１１６のソース電極がデータ線１１４に接続されるとともに、ＴＦＴ１１６のドレイン電極が画素電極１１８に接続されている。そして、各画素は、画素電極１１８と、対向基板に形成された共通電極と、これら両電極間に挟持された液晶とによって構成されて、走査線１１２とデータ線１１４との各交点において、マトリクス状に配列することとなる。なお、このほかに保持容量（図示省略）が各画素電極１１８に接続された状態で形成されている。
【０００９】
さて、走査線駆動回路１２０は、素子基板上に形成され、タイミング回路２００からのクロック信号ＣＬＹや、その反転クロック信号ＣＬＹＩＮＶ、転送開始パルスＤＹ等に基づいて、パルス的な走査信号を各走査線１１２に対して順次出力するものである。詳細には、走査線駆動回路１２０は、垂直走査期間の最初に供給される転送開始パルスＤＹを、クロック信号ＣＬＹおよびその反転クロック信号ＣＬＹＩＮＶにしたがって順次シフトして走査線信号として出力し、これにより各走査線１１２を順次選択するものである。
【００１０】
一方、サンプリング回路１３０は、サンプリング用のスイッチ１３１を各データ線１１４の一端において、各データ線１１４毎に備えるものである。このスイッチ１３１は、同じく素子基板上に形成されたｎチャンネル型のＴＦＴからなり、このスイッチ１３１のソース電極には、画像信号ＶＩＤ１〜ＶＩＤ６が入力されている。そして、ブロックＢ１のデータ線１１４ａ〜１１４ｆに接続された６個のスイッチ１３１のゲート電極は、サンプリング信号Ｓ１が供給される信号線に接続され、ブロックＢ２のデータ線１１４ａ〜１１４ｆに接続された６個のスイッチ１３１のゲート電極は、サンプリング信号Ｓ２が供給される信号線に接続され、以下同様に、ブロックＢｍのデータ線１１４ａ〜１１４ｆに接続された６個のスイッチ１３１のゲート電極は、サンプリング信号Ｓｍが供給される信号線に接続されている。ここで、サンプリング信号Ｓ１〜Ｓｍは、それぞれ水平有効表示期間内に画像信号ＶＩＤ１〜ＶＩＤ６をブロック毎にサンプリングするための信号である。
【００１１】
また、シフトレジスタ回路１４０は、同じく素子基板上に形成され、タイミング回路２００からのクロック信号ＣＬＸや、その反転クロック信号ＣＬＸＩＮＶ、転送開始パルスＤＸ等に基づいて、サンプリング信号Ｓ１〜Ｓｍを順次出力するものである。詳細には、シフトレジスタ回路１４０は、水平走査期間の最初に供給される転送開始パルスＤＸを、クロック信号ＣＬＸおよびその反転クロック信号ＣＬＸＩＮＶにしたがって順次シフトするとともに、これらシフトした信号のパルス幅を隣接する信号同士で重ならないように狭めて、サンプリング信号Ｓ１〜Ｓｍとして順次出力するものである。
【００１２】
このような構成において、サンプリング信号Ｓ１が出力されると、ブロックＢ１に属する６本のデータ線１１４ａ〜１１４ｆには、それぞれ画像信号ＶＩＤ１〜ＶＩＤ６がサンプリングされて、これらの画像信号ＶＩＤ１〜ＶＩＤ６が現時点の選択走査線における６個の画素に、当該ＴＦＴ１１６によってそれぞれ書き込まれることとなる。
【００１３】
この後、サンプリング信号Ｓ２が出力されると、今度は、ブロックＢ２に属する６本のデータ線１１４ａ〜１１４ｆには、それぞれ画像信号ＶＩＤ１〜ＶＩＤ６がサンプリングされ、これらの画像信号ＶＩＤ１〜ＶＩＤ６がその時点の選択走査線における６個の画素に、当該ＴＦＴ１１６によってそれぞれ書き込まれることとなる。
【００１４】
以下同様にして、サンプリング信号Ｓ３、Ｓ４、……、Ｓｍが順次出力されると、ブロックＢ３、Ｂ４、……、Ｂｍに属する６本のデータ線１１４ａ〜１１４ｆには、それぞれ画像信号ＶＩＤ１〜ＶＩＤ６がサンプリングされ、これらの画像信号ＶＩＤ１〜ＶＩＤ６がその時点の選択走査線における６個の画素にそれぞれ書き込まれることとなる。そして、この後、次の走査線が選択されて、ブロックＢ１〜Ｂｍにおいて同様な書き込みが繰り返し実行されることとなる。
【００１５】
この駆動方式では、サンプリング回路１３０におけるスイッチ１３１を駆動制御するシフトレジスタ回路１４０の段数が、各データ線を点順次で駆動する方式と比較して１／６に低減される。さらに、シフトレジスタ回路１４０に供給すべきクロック信号ＣＬＸおよびその反転クロック信号ＣＬＸＩＮＶの周波数も１／６で済むので、段数の低減化と併せて低消費電力化も図られることとなる。
【００１６】
ところで、各データ線１１４には寄生容量が付随している。この容量は、各データ線１１４が液晶を介して対向電極と対向しているために生じる。画素の液晶への電圧の印加は、各データ線１１４にデータ信号を印加し、ＴＦＴ１１６をオンさせてデータ線１１４の電圧を画素に書き込むことにより行われる。しかしながら、上述したように各データ線１１４には寄生容量が付随しているので、データ信号を各データ線１１４に印加しても各データ線１１４の電圧は直ちにデータ信号の電圧と一致するのではなく、その電圧は、寄生容量と配線抵抗等で定まる時定数に従って変化し、データ信号の印加開始から所定時間が経過した後、データ信号の電圧と一致する。また、この例では、走査線単位の極性反転を行うので、水平走査周期で各データ線１１４の電圧を対向電極の電位を中心して反転させる必要がある。したがって、ある水平走査期間において、データ信号を印加する前のデータ線１１４の電圧極性は、印加すべきデータ信号の電圧極性と反転したものとなっている。このため、各データ線１１４の電圧がデータ信号の電圧と一致するまでの時間は、長くなってしまう。
【００１７】
これを解消するために、プリチャージ回路１６０を設けている。このプリチャージ回路１６０は、スイッチ１６５を各データ線１１４の他端において各データ線１１４毎に備えるものである。このスイッチ１６５は同じく素子基板上に形成されたＴＦＴからなり、そのドレイン電極（またはソース電極）がデータ線１１４に接続され、そのソース電極（またはドレイン電極）がプリチャージ信号ＮＲＳに接続されている。また、各スイッチ１６５のゲート電極は、プリチャージ駆動信号ＮＲＧが供給される信号線に接続されている。このプリチャージ駆動信号ＮＲＧは、サンプリング信号Ｓ１〜Ｓｍよりも先行するタイミングにおいて、すなわち、ある走査線の選択が終了してから次の走査線が選択されて画像信号がデータ線に印加されるまでの水平帰線期間において、「Ｈ」レベルとなるパルス的な信号である。このため、各データ線１１４は、各スイッチ１６５を介してプリチャージ信号ＮＲＳの電位にプリチャージされた後、各スイッチ１３１のサンプリングによって画像信号ＶＩＤ１〜ＶＩＤ６の電位に遷移する。したがって、画像信号ＶＩＤ１〜ＶＩＤ６自体によるデータ線１１４の充放電量は小さくなるので、書き込みに要する時間が短縮化されることとなる。
【００１８】
【発明が解決しようとする課題】
しかしながら、複数同時駆動方式や、複数同時駆動方式とプリチャージとを併用すると、各ブロックＢ１〜Ｂｍの境目において輝度ムラが、特に、中間調レベルで規則的パターンを表示させた場合に発生する、という問題が生じた。そこで、この輝度ムラの発生原理について、ブロックＢ１およびＢ２に着目し、規則パターンの一例として簡単な一様なパターンを表示させる場合を例にとって説明する。この場合、ブロックＢ１に属するデータ線のうちブロックＢ２に隣接するデータ線１１４ｆに供給されるべき画像信号ＶＩＤ６と、ブロックＢ２に属するデータ線のうちブロックＢ１に隣接するデータ線１１４ａに供給されるべき画像信号ＶＩＤ１とは、それぞれ図１６に示されるように同電圧となる。なお、一般に、画像信号ＶＩＤ１〜ＶＩＤ６は、水平帰線期間において黒色に相当する電圧に振られる。
【００１９】
また、図１７に示す波形例は、プリチャージ信号ＮＲＳの電位が、データ線１１４に印加される画像信号ＶＩＤ１〜ＶＩＤ６（図１６では、ＶＩＤ１、ＶＩＤ６だけを示している）の極性と同一極性に設定され、かつ、走査線毎に極性反転する場合を示している。以下の説明では、画像信号ＶＩＤをデータ線１１４に印加したときの中心電位とプリーチャージ信号ＮＲＳをデータ線１１４に印加したときの電位との差の絶対値をプリチャージ電圧Ｖｐｒｅと称することにする。
【００２０】
図１７に示す波形例にあっては、プリチャージ電圧Ｖｐｒｅは、電圧変化が大きいところまで一端プリチャージするため、ノーマリホワイトモードであれば黒色に相当する電位（逆に、ノーマリブラックモードであれば白色に相当する電位）に設定されている。
【００２１】
さて、図１７において、正極側のタイミングｔ１１に至ると、プリチャージ駆動信号ＮＲＧが「Ｈ」レベルとなる。このため、すべてのスイッチ１６５がオンとなるため、すべてのデータ線１１４はスイッチ１６５を介してプリチャージ電圧Ｖｐｒｅにプリチャージされる。その後、プリチャージ駆動信号ＮＲＧが「Ｌ」レベルとなるが、すべてのデータ線は、その寄生容量によりプリチャージ電圧Ｖｐｒｅを維持する。
【００２２】
次に、タイミングｔ１２に至ると、サンプリング信号Ｓ１が「Ｈ」レベルに立ち上がる。このため、ブロックＢ１のデータ線１１４ｆにあっては、スイッチ１３１によって画像信号ＶＩＤ６がサンプリングされるため、データ線１１４ｆの電圧は、それまで維持していたプリチャージ信号ＮＲＳの電圧Ｖｐｒｅからサンプリングされた画像信号ＶＩＤ６に相当する電圧となり、これが現時点において選択されている走査線のＴＦＴ１１６によって当該画素に書き込まれる。この後、サンプリング信号Ｓ１が「Ｌ」レベルに立ち下がる。
【００２３】
さらに、タイミングｔ１３に至ると、サンプリング信号Ｓ２が「Ｈ」レベルに立ち上がるため、ブロックＢ２のデータ線１１４ａにあっては、スイッチ１３１によって画像信号ＶＩＤ１がサンプリングされる。このため、ブロックＢ２のデータ線１１４ａの電圧は、それまで維持していたプリチャージ電圧Ｖｐｒｅから、サンプリングされた画像信号ＶＩＤ１の電圧まで遷移する。これが現時点において選択されている走査線のＴＦＴ１１６によって当該画素に書き込まれる。
【００２４】
これに対し、ブロックＢ１に属するデータ線のうち、ブロックＢ２に隣接するデータ線１１４ｆについては、液晶層を介してブロックＢ２のデータ線１１４ａと容量的に結合しているため、ブロックＢ２のデータ線１１４ａの電圧がプリチャージ電圧Ｖｐｒｅから画像信号ＶＩＤ１の電圧まで遷移すると、すでに書き込みが終了しているにもかからわず、電圧変化の影響を受けて電圧が変動することになる。
【００２５】
したがって、ブロックＢ１のデータ線１１４ｆに接続された画素のうち、現時点において選択された走査線にかかる画素は、本来の書込電圧▲１▼に相当する濃度から、容量結合による変動分だけ変位した電圧▲２▼に相当する濃度に変化することになる。このことは、負極側のタイミングｔ２１、ｔ２２、ｔ２３についても、さらに、現時点の選択走査線において他のブロックＢ２〜Ｂｍ−１についても、また、他の走査線を選択した場合でも同様である。
【００２６】
これに対して、各ブロックにおける他のデータ線１１４ａ〜１１４ｅについては、隣接するブロックのデータ線１１４ａの電圧遷移による影響を受けない（にくい）ので、これらのデータ線に接続された画素のうち、現時点において選択された走査線にかかる画素は本来の書込電圧に相当する濃度を維持することになる。
【００２７】
よって、すべての画素に対して同一濃度の表示をしようとしても、あるブロックのデータ線１１４ｆに接続された画素の濃度と、それ以外のデータ線１１４ａ〜１１４ｅに接続された画素の濃度とに差が生じるので、結局、各ブロックＢ１〜Ｂｍの境目において輝度ムラが発生することとなる。
【００２８】
このような輝度ムラは、プリチャージ信号ＮＲＳを正負極毎に絶対値で異なるレベルとなるように設定すれば、例えば、正極側で白色に相当する電圧に、負極側で黒色に相当する電圧にそれぞれ設定すれば、正極側における画像信号のサンプリングでは黒側に、正極側における画像信号のサンプリングでは白側に、それぞれ書き込まれるので、両者の打ち消しによって、ある程度、解消することは可能である。しかし、この方法でも、ビデオ信号のレベルによって輝度ムラを完全に目立たなくする程度にまで解消することができないし、プリチャージ信号ＮＲＳを印加してから本来のデータが書き込まれる間の短期間ではあるが、直流成分が印加されることになるので、液晶劣化を引き起こす原因にもなる。
【００２９】
本発明は、上述した事情に鑑みてなされたものであり、各ブロックの境目において発生する輝度ムラを目立たなくして、高い品質の表示が可能な電気光学装置の駆動方法、画像処理回路、電気光学装置および電子機器を提供することを目的としている。
【００３０】
【課題を解決するための手段】
上記目的を達成するために本発明にあっては、複数の走査線と、複数のデータ線と、前記各走査線と前記各データ線との交差に対応して設けられたトランジスタとトランジスタと、前記トランジスタに接続された画素電極とを有する電気光学装置の駆動方法であって、前記走査線を順次選択し、前記走査線が選択された期間において、前記データ線を複数本毎にまとめたブロック毎に各データ線に対応する画像信号を同時に供給し、これを各ブロックについて順次実行し、選択中のブロックに属するデータ線のうち次に選択されるブロックに隣接する第１のデータ線に対応する画像信号を、次に選択されるブロックに属し前記第１のデータ線に隣接する第２のデータ線の電圧変化を予測した結果に基づいて、前記第１のデータ線に対応する画像信号を予め補正して前記第１のデータ線に供給することを特徴とする。
【００３１】
一般に、複数のデータ線は画素を介して互いに容量的に結合しているが、同一ブロック内に属するデータ線同士においては、同タイミングでサンプリングが実行されるので、あるデータ線の電圧変化が他のデータ線の電圧に影響を及ぼすことはない。しかし、異なるブロックに属するデータ線、特に、ブロックの一端に位置するデータ線の電圧は、隣接ブロックの他端部に位置するデータ線の電圧がサンプリングされた画像信号の電圧まで遷移すると、その電圧変化によって本来の書込電圧から変動する。これがブロック境目における輝度ムラの原因となる。
【００３２】
これに対して本発明の駆動方法によれば、次のブロックに属する第２のデータ線の電圧変化を予測し、その予測結果に基づいて、第１のデータ線に対応する画像信号を予め補正して前記第１のデータ線に供給するので、第２のデータ線の電圧変化によって発生するノイズが、結合容量を介して第１のデータ線に混入したとしても、ノイズ成分が画像信号の補正によって相殺されことになる。したがって、ブロックの境界において発生する輝度ムラを大幅に低減することができる。
【００３３】
この場合、第２のデータ線の電圧変化は、そこに印加される画像信号の電圧によって左右されるので、第２のデータ線の電圧変化を、第２のデータ線に対応する画像信号に基づいて予測することが望ましい。
【００３４】
また、この駆動方法において、電気光学装置は、前記画像信号を順次サンプリングして各データ線に供給するサンプリングトランジスタを備え、前記第２のデータ線の電圧変化を、前記第２のデータ線に対応する画像信号およびサンプリングトランジスタの降下電圧に基づいて予測することが望ましい。サンプリングトランジスタがＴＦＴのような電界効果トランジスタで形成される場合、ソース電極電圧に応じてその降下電圧は変化する。この発明よれば、そのような降下電圧を考慮して第２データ線の電圧変化を予測することができるので、ブロックの境界において発生する輝度ムラをより一層低減することができる。
【００３５】
また、本発明に係る電気光学装置の駆動方法は、複数の走査線と、複数のデータ線と、前記各走査線と前記各データ線との交差に対応して設けられたトランジスタと画素電極とを有する電気光学装置を前提とし、前記走査線を順次選択し、前記走査線が選択された期間において、前記データ線を複数本毎にまとめたブロックにプリチャージ電圧を印加した後、選択中のブロックに属するデータ線のうち次に選択されるブロックに隣接する第１のデータ線に対応する画像信号を、次に選択されるブロックに属し前記第１のデータ線に隣接する第２のデータ線の電圧変化を予測した結果に基づいて、予め補正して前記第１のデータ線に供給することを特徴とする。この場合、前記第２のデータ線の電圧変化を、前記第２のデータ線に対応する画像信号と前記プリチャージ電圧に基づいて予測することが望ましい。
【００３６】
この発明によれば、データ線に画像信号を書き込む前にプリチャージを行うことができるので、プリチャージ電圧を適切に設定することによって、画像信号の書き込みに要する時間を低減することができる。また、第２のデータ線の電圧変化は、プリチャージ電圧から画像信号の電圧へと変化することにより生じるので、第２のデータ線に対応する画像信号とプリチャージ電圧に基づいて第２のデータ線の電圧変化を正確に予測することができる。
【００３７】
さらに、電気光学装置が、前記画像信号を順次サンプリングして各データ線に供給するサンプリングトランジスタを備えるものであれば、前記第２のデータ線の電圧変化を、前記第２のデータ線に対応する画像信号、サンプリングトランジスタの降下電圧および前記プリチャージ電圧に基づいて予測することが望ましい。この発明によれば、降下電圧を考慮して第２データ線の電圧変化を予測することができるので、ブロックの境界において発生する輝度ムラをより一層低減することができる。
【００３８】
また、本発明に係る画像処理回路は、複数の走査線と、複数のデータ線と、前記各走査線と前記各データ線との交差に対応して設けられたトランジスタと画素電極とを有し、各走査線を順次選択し、前記走査線が選択された期間において、前記データ線にプリチャージ電圧を印加した後、前記データ線を複数本毎にまとめたブロック毎に並列化画像信号を印加する電気光学装置に用いられることを前提とし、前記ブロックを構成するデータ線の本数に応じて、入力画像信号を時間軸伸長するとともに並列化して、複数の並列化画像信号を生成する並列化手段と、あるブロックに属するデータ線のうち次に選択されるブロックに隣接する第１のデータ線に対応する並列化画像信号を、次に選択されるブロックに属し前記第１のデータ線に隣接する第２のデータ線の電圧変化を予測した結果に基づいて、補正を施す補正手段と、補正された並列化画像信号と他の並列化画像信号とをまとめて出力する出力手段とを具備することを特徴とする。
【００３９】
この発明によれば、入力画像信号を時間軸伸長するとともに並列化して複数の並列化画像信号を得て、複数の並列化画像信号のうちあるブロックに属するデータ線のうち次に選択されるブロックに隣接する第１のデータ線に対応する並列化画像信号を特定することになる。そして、次のブロックに属する第２のデータ線の電圧変化を予測し、その予測結果に基づいて、第１のデータ線に対応する画像信号を予め補正して前記第１のデータ線に供給するので、第２のデータ線の電圧変化によって発生するノイズが、結合容量を介して第１のデータ線に混入したとしても、ノイズ成分が画像信号の補正によって相殺されことになる。したがって、ブロックの境界において発生する輝度ムラを大幅に低減することができる。
【００４０】
また、この発明において、電気光学装置が、前記走査線が選択された期間において、前記データ線に予め定められたプリチャージ電圧を印加した後、前記データ線を複数本毎にまとめたブロック毎に並列化画像信号を印加するのであれば、前記補正手段は、前記第２のデータ線に対応する並列化画像信号と前記プリチャージ電圧とに基づいて、前記第２のデータ線の電圧変化を予測することをが望ましい。これにより、電圧変化を正確予測できるので、精度のよい補正が可能となり、ブロックの境界において発生する輝度ムラをより一層低減することができる。
【００４１】
また、この発明において、電気光学装置が、一方の基板に前記走査線、前記データ線、前記トランジスタおよび画素電極を形成し、これと対向する他方の基板に対向電極とを備え、前記走査線が選択された期間において、前記データ線に予め定められたプリチャージ電圧を印加した後、前記データ線を複数本毎にまとめたブロック毎にサンプリングトランジスタを介して並列化画像信号を印加するものであるならば、前記出力手段は、補正された並列化画像信号と他の並列化画像信号とをまとめるとともに、一定周期の極性反転信号に従ってそれらの極性を前記対向電極の電位を基準として反転して出力し、  前記補正手段は、前記第２のデータ線に対応する並列化画像信号、前記プリチャージ電圧、および前記サンプリングトランジスタの降下電圧に基づいて、前記第２のデータ線の電圧変化を予測することが望ましい。
【００４２】
電気光学物質として液晶を用いる場合には、その劣化を防止するために交流電圧を液晶に印加する必要がある。このような場合、出力手段は極性反転信号に従って並列化画像信号の極性を前記対向電極の電位を基準として反転して出力することになる。このため、画像信号の示す階調値が同じであっても、その極性に応じて降下電圧が異なることになる。本発明においては、並列化画像信号、プリチャージ電圧、および降下電圧に基づいて、第２のデータ線の電圧変化を正確に予測するので、ブロックの境界において発生する輝度ムラをより一層低減することができる。
【００４３】
また、電気光学装置が、前記走査線が選択された期間において、前記データ線に予め定められたプリチャージ電圧を印加した後、前記データ線を複数本毎にまとめたブロック毎に並列化画像信号を印加するものであり、かつ、入力画像信号がアナログ信号であるのならば、前記補正手段は、前記入力画像信号をブロック周期でサンプルホールドして前記第２のデータ線に対応する並列化画像信号を出力するサンプルホールド回路と、前記サンプルホールド回路から出力される並列化画像信号と、前記プリチャージ電圧とに基づいて補正信号を生成する補正信号生成回路と、前記並列化手段から出力され補正の対象となる並列化画像信号と、前記補正信号を合成して補正した並列化画像信号を出力する合成回路とを備えることが望ましい。
【００４４】
この場合、サンプルホールド回路によって第２のデータ線に対応する並列化画像信号、すなわちノイズを発生するデータ線に供給される信号が特定されると、補正信号生成回路は当該並列化画像信号とプリチャージ電圧とに基づいて補正信号を生成する。第１のデータ線に混入するノイズは第２のデータ線の電圧変化によって生じ、この電圧変化はプリチャージ電圧から並列化画像信号電圧への変動によるものであるので、補正信号は第２のデータ線の電圧変化を正確に予測した結果を反映している。したがって、第２のデータ線の電圧変化によって発生するノイズが、結合容量を介して第１のデータ線に混入したとしても、ノイズ成分が並列化画像信号の補正によって相殺されことになる。この結果、ブロックの境界において発生する輝度ムラを大幅に低減することができる。
【００４５】
また、本発明において、前記入力画像信号がアナログ信号であるならば、前記補正手段は、前記入力画像信号をブロック周期でサンプルホールドして前記第２のデータ線に対応する並列化画像信号を出力するサンプルホールド回路と、前記サンプルホールド回路から出力される並列化画像信号と、前記極性反転信号に基づいて前記降下電圧を算出する第１算出回路と、前記降下電圧算出回路によって算出された降下電圧と前記前記サンプルホールド回路から出力される並列化画像信号とに基づいて、前記第２のデータ線に供給する書込電圧を算出する第２算出回路と、前記書込電圧と前記プリチャージ電圧とに基づいて補正信号を生成する補正信号生成回路と、前記並列化手段から出力される補正の対象となる並列化画像信号と、前記補正信号とを合成して補正した並列化画像信号を出力する合成回路とを備えることが望ましい。
【００４６】
この発明によれば、サンプリングトランジスタの降下電圧を考慮して補正信号を生成することができるので、ブロックの境界において発生する輝度ムラをより一層低減することができる。
【００４７】
また、本発明に係る画像処理回路は、複数の走査線と、複数のデータ線と、前記各走査線と前記各データ線との交差に対応して設けられたトランジスタと画素電極とを有し、各走査線を順次選択し、前記走査線が選択された期間において、前記データ線を複数本毎にまとめたブロック毎に並列化画像信号を印加する電気光学装置に用いることを前提とし、入力画像信号の中から、あるブロックに属するデータ線のうち次に選択されるブロックに隣接する第１のデータ線に対応する画像信号を特定し、次に選択されるブロックに属し前記第１のデータ線に隣接する第２のデータ線の電圧変化を予測した結果に基づいて、当該画像信号に補正を施す補正手段と、前記ブロックを構成するデータ線の本数に応じて、前記補正手段の出力信号を時間軸伸長するとともに並列化して、複数の並列化画像信号を生成する並列化手段とを具備することを特徴とする。
【００４８】
この発明によれば、入力画像信号の中から、あるブロックに属するデータ線のうち次に選択されるブロックに隣接する第１のデータ線に対応する画像信号が特定される。そして、次のブロックに属する第２のデータ線の電圧変化を予測し、その予測結果に基づいて、第１のデータ線に対応する画像信号を予め補正して前記第１のデータ線に供給するので、第２のデータ線の電圧変化によって発生するノイズが、結合容量を介して第１のデータ線に混入したとしても、ノイズ成分が画像信号の補正によって相殺されことになる。したがって、ブロックの境界において発生する輝度ムラを大幅に低減することができる。
【００４９】
また、この発明において、入力画像信号がデジタル信号であるならば、前記補正手段は、前記入力画像信号をブロック周期毎に特定の１サンプル期間選択する選択回路と、信号値と補正値とを対応付けて予め記憶しており、前記選択回路の出力信号が供給されると、当該出力信号の値に応じた補正信号を出力する記憶回路と、前記入力画像信号と前記補正信号とを合成する合成回路とを具備することが望ましい。
【００５０】
この場合、電気光学装置が、前記走査線が選択された期間において、前記データ線に予め定められたプリチャージ電圧を印加した後、前記データ線を複数本毎にまとめたブロック毎に並列化画像信号を印加するものであれば、前記補正値は、前記プリチャージ電圧と前記信号値とに基づいて、定められることが望ましい。これにより、第２のデータ線の電圧変化は、プリチャージ電圧と信号値に基づいて予測されるので、正確な予測を行うことができる。
【００５１】
あるいは、前記記憶回路は、前記第２のデータ線の画像データに対応した補正テーブルを有していることが望ましい。これにより、ブロックの境界において発生する輝度ムラを大幅に低減することができる。
【００５２】
また、本発明の画像処理回路は、一方の基板に前記走査線、前記データ線、前記トランジスタおよび画素電極を形成し、これと対向する他方の基板に対向電極とを備え、前記走査線が選択された期間において、前記データ線に予め定められたプリチャージ電圧を印加した後、前記データ線を複数本毎にまとめたブロック毎にサンプリングトランジスタを介して並列化画像信号を印加する電気光学装置に用いられることを前提とし、前記並列化手段から出力される複数の並列化画像信号を一定周期の極性反転信号に従ってそれらの極性を前記対向電極の電位を基準として反転して出力する極性反転手段を備え、前記入力画像信号はデジタル信号形式の入力画像データであり、前記補正手段は、前記入力画像データをブロック周期毎に特定の１サンプル期間選択する選択回路と、画像データ値と補正データ値とを対応付けて正極性用の補正データを記憶する第１記憶回路と、画像データ値と補正データ値とを対応付けて負極性用の補正データを記憶する第２記憶回路と、前記極性反転信号に基づいて前記選択回路の出力データを前記第１記憶回路または前記第２記憶回路に供給して、対応する補正データを読み出す読出手段と、前記入力画像データと前記読出手段によって読み出された補正データを合成する合成回路とを備えることを特徴とする。
【００５３】
この発明によれば、正極性用の補正データと負極性用の補正データを第１記憶回路まと第２記憶回路とに記憶しているので、極性反転信号の示す極性に応じて補正データを生成することができる。したがって、サンプリングトランジスタの降下電圧を考慮して補正信号を生成することができるので、ブロックの境界において発生する輝度ムラをより一層低減することができる。
【００５４】
また、入力画像信号がデジタル信号であるならば、前記並列化手段は、前記補正手段のデジタル出力信号をＤ／Ａ変換するＤ／Ａ変換回路と、前記Ｄ／Ａ変換回路のアナログ出力信号を、ブロックを構成するデータ線の本数に応じて、時間軸伸長するとともに並列化して複数のアナログ並列化画像信号を生成する並列化回路と備えるものであってもよい。この場合には、Ｄ／Ａ変換回路は１系統のもので足り、アナログ信号の形態で並列化が行われることになる。
【００５５】
また、入力画像信号はデジタル信号であるならば、前記並列化手段は、前記補正手段のデジタル出力信号を、ブロックを構成するデータ線の本数に応じて、時間軸伸長するとともに並列化して複数のデジタル並列化画像信号を生成する並列化回路と、前記並列化回路によって得られる複数のデジタル並列化画像信号をＤ／Ａ変換して複数のアナログ並列化画像信号を出力するＤ／Ａ変換回路とを備えるものであってよい。この場合には、デジタル信号の形態で並列化を実行することができるので、特性の揃ったデジタル並列化画像信号を生成することができる。
【００５６】
また、本発明に係る電気光学装置は、上述した画像処理回路と、前記走査線を順次選択する走査線駆動手段と、前記走査線が選択された期間において、前記データ線を複数本毎にまとめたブロックを順次選択することにより、前記並列化画像信号を選択されたブロックに属するデータ線の各々に供給するブロック駆動手段と、ブロックが選択される前に、当該ブロックのデータ線にプリチャージ電圧を印加するプリチャージ手段とを備えたことを特徴とする。ここで、プリチャージ手段は、前記プリチャージ電圧を黒色または白色の表示に相当する電圧レベルに設定することが好ましい。これにより、ノーマリホワイトモードで黒色、ノーマリブラックモードで白色の表示に相当するプリチャージ電圧をデータ線に印加することによって、大きなコントラストを得ることができる。
【００５７】
また、本発明に係る電子機器は、電気光学装置を表示部に用いたことを特徴としており、例えば、ビデオプロジェクタ、ノート型パーソナルコンピュータ、携帯電話機等が該当する。
【００５８】
【発明の実施の形態】
以下、本発明の実施形態について図面を参照して説明する。
【００５９】
〔第１実施形態〕
＜第１実施形態の構成＞
まず、電気光学装置の一例として、第１実施形態にかかるアクティブ・マトリクス型の液晶表示装置について説明する。なお、この例では液晶表示装置に入力される画像信号はアナログ信号であるものとする。
【００６０】
図１は、この液晶表示装置の全体構成を示すブロック図である。本実施形態にかかる液晶表示装置は、上記輝度ムラを解消するために、画像処理回路３００Ａにおいて、第１サンプルホールド回路３１０、補正回路３１１、加算回路３１２、および第２サンプルホールド回路３１３を備える点で、図１０に示す従来例と相違する。
【００６１】
まず、第１サンプルホールド回路３１０は、サンプルホールド信号ＳＨ１がＨレベルの期間、入力画像信号ＶＩＤをサンプルホールドして、画像信号ＶＩＤａ１を生成する。ここで、サンプルホールド信号ＳＨ１は、ブロック周期の信号であり、ブロックの開始直後の１サンプリング期間にＨレベルとなる。
【００６２】
解決課題でも詳述したように、各ブロックの境界で発生する輝度ムラは、隣接するデータ線１１４が液晶層を介して容量結合するために生じる。ブロックＢ１〜Ｂｍを右から左に順次選択するとすれば、影響を受けるのは、各ブロックＢ２〜Ｂｍの右端部のデータ線１１４ｆであり、影響を与えるのはこれに隣接する次のブロックの左端部のデータ線１１４ａである。サンプルホールド信号ＳＨ１のＨレベルは、影響を与えるブロックの左端部のデータ線１１４ａに供給する画像信号ＶＩＤ１のタイミングと一致するようタイミング発生回路２００で生成される。したがって、第１サンプルホールド回路３１０の出力信号は、ブロックの左端部のデータ線１１４ａに供給する画像信号ＶＩＤａ１となる。
【００６３】
次に、補正回路３１１は、画像信号ＶＩＤａ１に基づいてノイズ成分に相当する補正信号ＶＩＤ１’を生成するものである。例えば、画像信号ＶＩＤａ１とプリチャージ電圧Ｖｐｒｅとの差分電圧を生成する減算回路と、差分電圧から補正信号ＶＩＤ１’を生成するローパスフィルタによって補正回路３１１を構成することができる。
【００６４】
隣接するデータ線が液晶層を介して容量結合をする場合、ローインピーダンスで駆動されているデータ線１１４ａ（第２のデータ線：現在のブロックの左端部）から、ハイインピーダンス状態のデータ線１１４ｆ（第１のデータ線：直前のブロックの右端部）へ、混入するノイズ成分は、ローインピーダンス状態のデータ線１１４ａの電圧の変化分によって定まる。すなわち、差分電圧と伝送特性とを知ることができれば、ノイズ成分を算出することができる。
【００６５】
差分電圧がどのような過程で隣接するデータ線に伝送されるかについては、主として、データ線の寄生容量、データ線間の結合容量、およびデータ線駆動回路の出力インピーダンス等に基づいて定まるが、実際の液晶表示装置では、各種の要因が複雑に関係する。このため、ローパスフィルタの形式や次数は、実験結果と一致するように定められる。すなわち、補正回路３１１は、ノイズの起因となるデータ線１１４ａの電圧変化を予め予測するとともに、データ線１１４ａからデータ線１１４ｆへの伝送特性を予め特定しておき、予測結果と予め特定した伝送特性に基づいてノイズ成分に見合う補正信号ＶＩＤ１’を生成している。
【００６６】
次に、加算回路３１２は、相展開回路３０１と第２サンプルホールド回路３１３の間に介挿されており、画像信号ＶＩＤ６と補正信号ＶＩＤ１’とを加算するように構成されている。したがって、加算回路３１２から出力される画像信号ＶＩＤ６’は、ＶＩＤ６’＝ＶＩＤ６＋ＶＩＤ１’となる。
【００６７】
次に、第２サンプルホールド回路３１３は、各画像信号ＶＩＤ１〜ＶＩＤ５、およびＶＩＤ６’の時間併せのために設けられたものであり、サンプルホールド信号ＳＨ２によって、各画像信号ＶＩＤ１〜ＶＩＤ５、およびＶＩＤ６’をサンプルホールドする。
【００６８】
ここで、画像信号ＶＩＤ６はブロックの右端部のデータ線１１４ｆに供給される信号であるから、ノイズ成分の影響を受けるデータ線１１４ｆに供給される画像信号ＶＩＤ６に予め補正を施すことができる。このようにして得られた各画像信号ＶＩＤ１〜ＶＩＤ５、およびＶＩＤ６’は、増幅・反転回路３０２によって、所定のレベルまで増幅されるともに極性反転信号Ｚに基づいてプリチャージ電圧Ｖｐｒｅと同期して極性が反転される。
【００６９】
したがって、この画像信号ＶＩＤ６’がデータ線１１４ｆに供給され、当該データ線１１４ｆにノイズ成分ＶＩＤ１’が重畳しても、ノイズ成分ＶＩＤ１’が相殺され、本来、書き込むべき画像信号ＶＩＤ６が書き込まれることになる。
なお、他の構成については、従来の液晶表示装置と同様であるので、別段、説明を要しないであろう。
【００７０】
＜第１実施形態の動作＞
次に、この液晶表示装置における動作について説明する。図２は、画像処理回路３００Ａの動作を説明するためのタイミングチャートである。なお、この図においてＶＩＤＸＹと表した場合の添字Ｘは、１つブロックにおいてブロックの走査方向の順に数えて何番目のデータ線に対応するかを表しており、一方、添字Ｙは何番目のブロックかを表すものとする。例えば、ＶＩＤ１ｎ＋１は、ブロック中の第１番目のデータ線に対応しており、当該ブロックはｎ＋１番目のものであることを表している。
【００７１】
まず、タイミング発生回路２００は、画像信号ＶＩＤの各サンプルに対応したクロックＣＫを生成する。また、タイミング発生回路２００は、このクロックＣＫに同期するとともに、各ブロック中の第１番目のデータ線１１４ａに供給する画像信号ＶＩＤ１を特定するサンプルホールド信号ＳＨ１を生成する。
【００７２】
このサンプルホールド信号ＳＨ１が、第１サンプルホールド回路３１０に供給されると、画像信号ＶＩＤから、各ブロック中の第１番目のデータ線１１４ａに対応する画像信号ＶＩＤ１がサンプルホールドされ、画像信号ＶＩＤａ１として出力される。例えば、第ｎ番目のブロックから抽出した画像信号ＶＩＤａ１は、画像信号ＶＩＤ１ｎとなる。
【００７３】
この後、補正回路３１１は、画像信号ＶＩＤ１とプリチャージ電圧Ｖｐｒｅに基づいて、補正信号ＶＩＤ１’を生成する。一方、相展開回路３０１は、シリアル形式の画像信号ＶＩＤをブロックを構成するデータ線１１４の本数に応じて、時間軸伸長するとともに並列化してパラレル形式の画像信号ＶＩＤ１〜ＶＩＤ６を生成する。展開数がＮであれば、Ｎ倍に時間軸伸長されるとともにＮ系統の画像信号が得られることになる。なお、この例では、Ｎ＝６であるから６倍に時間軸伸長されるとともに、６系統の画像信号ＶＩＤ１〜ＶＩＤ６が得られる。これらの画像信号ＶＩＤ１〜ＶＩＤ６は、図に示すように各サンプルの切り替わりタイミングが揃ったものとなる。
【００７４】
そして、加算回路３１２は画像信号ＶＩＤ６と補正信号ＶＩＤ１’とを加算して補正された画像信号ＶＩＤ６’を生成する。このとき、加算回路３１２の遅延時間ΔＴによって、画像信号ＶＩＤ６’は、画像信号ＶＩＤ１〜ＶＩＤ６に対してΔＴだけ遅れる。第２サンプルホールド回路３１２は、この遅延を吸収するために設けられたものであり、サンプルホールド信号ＳＨ２によって、各入力信号をサンプルホールドすることによって、位相の揃った画像信号ＶＩＤ１〜ＶＩＤ５、ＶＩＤ６’を出力している。
【００７５】
次に、データ線に印加される電圧について説明する。図３は、液晶表示パネル１００の動作を説明するためのタイミングチャートであり、従来の技術で説明した図１６に対応したものである。図３に示されるように、プリチャージ信号ＮＲＳの電圧レベルは、ノーマリホワイトモードでいえば略黒色に相当するレベルである。プリチャージ信号ＮＲＳは、タイミング発生回路２００によって供給され、その極性は、画像信号ＶＩＤ１〜ＶＩＤ６’（図３では、ＶＩＤ１、ＶＩＤ６’だけを示している）に同期し、画像信号ＶＩＤ１〜ＶＩＤ６’の極性と同一極性に設定され、かつ、走査線毎に極性反転される。
【００７６】
さて、図３において  正極側のタイミングｔ１１に至ると、プリチャージ駆動信号ＮＲＧが「Ｈ」レベルとなる。このため、すべてのスイッチ１６５がオンとなるため、各ブロックＢ１〜Ｂｍのデータ線１１４ａ〜１１４ｆはスイッチ１６５を介してプリチャージ電圧Ｖｐｒｅにプリチャージされる。その後、プリチャージ駆動信号ＮＲＧが「Ｌ」レベルとなるが、すべてのデータ線は、その寄生容量によりプリチャージ電圧Ｖｐｒｅを維持する。
【００７７】
次に、タイミングｔ１２に至ると、サンプリング信号Ｓ１が「Ｈ」レベルに立ち上がる。このため、ブロックＢ１のデータ線１１４ｆにあっては、スイッチ１３１によって画像信号ＶＩＤ６１’がサンプリングされるため、データ線１１４ｆの電圧は、それまで維持していたプリチャージ電圧Ｖｐｒｅから画像信号ＶＩＤ６１’に相当する電圧となり、これが現時点において選択されている走査線のＴＦＴ１１６によって当該画素に書き込まれる。この後、サンプリング信号Ｓ１が「Ｌ」レベルに立ち下がる。
【００７８】
さらに、タイミングｔ１３に至ると、サンプリング信号Ｓ２が「Ｈ」レベルに立ち上がるため、ブロックＢ２のデータ線１１４ａにあっては、スイッチ１３１によって画像信号ＶＩＤ２１がサンプリングされる。このため、ブロックＢ２のデータ線１１４ａの電位は、それまで維持していたプリチャージ電圧Ｖｐｒｅから、サンプリングされた画像信号ＶＩＤ２１の電圧まで遷移する。これが現時点において選択されている走査線のＴＦＴ１１６によって当該画素に書き込まれる。
【００７９】
ここで、ブロックＢ１に属するデータ線のうち、右端部に位置する（すなわち、ブロックＢ２に隣接する）データ線１１４ｆについては、液晶層を介してブロックＢ２のデータ線１１４ａと容量的に結合しているため、ブロックＢ２のデータ線１１４ａの電圧がプリチャージ電圧Ｖｐｒｅからサンプリングされた画像信号ＶＩＤ１の電圧まで遷移すると、その電圧変化の影響を受けて電圧が変動する。
【００８０】
しかし、図３に示すようにタイミングｔ１２からｔ１３までの期間に、ブロックＢ１のデータ線１１４ｆに印加される電圧は、ＶＩＤ６１’（＝ＶＩＤ６１＋ＶＩＤ２１’）であり、本来、印加されるべき電圧ＶＩＤ６１に補正電圧ＶＩＤ２１’が重畳したものとなっている。ここで、補正電圧ＶＩ２１’は、上述したようにノイズ成分を打ち消すように設定されている。
【００８１】
したがって、タイミングｔ１３において、ブロックＢ２のデータ線１１４ａの電圧が遷移することにより、その電圧変化に応じたノイズ成分がブロックＢ１のデータ線１１４ｆに重畳したとしても、補正電圧ＶＩＤ２１’によってノイズ成分が相殺される。この結果、タイミングｔ１３に至ると、ブロックＢ１のデータ線１１４ａの電位は、本来、印加されるべき電位であるＶＩＤ６１に遷移する。
【００８２】
負極側のタイミングｔ２１、ｔ２２、ｔ２３では正極側のタイミングｔ１１、ｔ１２、ｔ１３と同様な動作が行われるから、負極側でも同様であり、さらに、現時点の選択走査線において他のブロックＢ２〜Ｂｍについても、また、他の走査線についても同様である。
【００８３】
このように、各ブロックＢ１〜Ｂｍの右端部に位置するデータ線１１４ｆは、本来の書込電位を維持するので、各ブロックＢ１〜Ｂｍの境目における輝度ムラの発生が抑えられることとなる。
【００８４】
次に、プリチャージ電圧Ｖｐｒｅについて検討してみる。上述のように、あるブロックの右端部に位置するデータ線１１４ｆの電圧は、それに隣接するデータ線１１４ａ、換言すれば、隣接ブロックの他端に位置するデータ線１１４ａの電圧変化によって変動するが、その変動量は、第１に、データ線１１４ａとの結合容量と、第２に、データ線１１４ａの電圧変化量とに依存する。このうち、データ線１１４との結合容量は動作時において一定とみなせる。また、データ線１１４ａの電圧変化量は、プリーチャージ電圧Ｖｐｒｅと画像信号ＶＩＤ２１の差電圧である。
【００８５】
ここで、仮に、上述した補正動作を行わないとすれば、ブロックの境界における輝度ムラを低減するために、プリーチャージ電圧Ｖｐｒｅと画像信号ＶＩＤ２１との差電圧を小さくする必要がある。画像信号ＶＩＤのレベルは表示すべき画像の絵柄に応じて変化するが、その平均的なレベルは、画像信号ＶＩＤのピークレベルの５０％にある。したがって、プリーチャージ電圧Ｖｐｒｅを“０”に設定する必要がある。しかし、このように設定すると、ノーマリホワイトモードでいえば略黒色を表示させる画像信号ＶＩＤを容量性の負荷であるデータ線に書き込む場合、大きな電圧変化を伴うので短時間に書き込みを完了することができなくなり、十分なコントラストを得ることが困難となる。
【００８６】
これに対して、上述した補正動作を行う場合には、電圧変化量についての考慮が不要となるため、プリチャージ電圧Ｖｐｒｅを、ノーマリホワイトモードでいえば略黒色を表示させるレベルに設定することが可能となる。したがって、この例によれば、輝度ムラの発生を抑圧するとともに、大きなコントラストを得ることができる。
【００８７】
〔第２実施形態〕
＜第２実施形態の構成＞
まず、電気光学装置の一例として、第２実施形態にかかるアクティブ・マトリクス型の液晶表示装置について説明する。なお、この例では液晶表示装置に入力される画像信号はデジタル信号であり、入力画像データＤとして供給される。
【００８８】
図４は、第２実施形態に係る液晶表示装置の全体構成を示すブロック図である。本実施形態にかかる液晶表示装置は、上記輝度ムラを解消するために、画像処理回路３００Ｂにおいて、第１ラッチ回路３２０、選択回路３２１、補正テーブル３２２、加算回路３２３、第２ラッチ回路３２４、およびＤ／Ａ変換器３２５を備える点で、図１０に示す従来例と相違する。
【００８９】
まず、第１ラッチ回路３２０は、タイミング発生回路２００から供給されるクロックＣＫに基づいて、入力画像データＤをラッチする。これにより、入力画像データＤに対して１サンプル遅延した画像データＤｔが得られる。
【００９０】
次に、選択回路３２１は、タイミング発生回路２００から供給されるスイッチパルスＳＷＰに基づいて、入力画像データＤとデータｄ０とを選択する。具体的には、スイッチパルスＳＷＰがＨレベルのとき、入力画像データＤを選択出力する一方、スイッチパルスＳＷＰがＬレベルのとき、データｄ０を選択出力するように構成されている。ここで、スイッチパルスＳＷＰは、ブロック周期の信号であり、ブロックの開始直後の１サンプリング期間にＨレベルとなる。
【００９１】
したがって、各ブロックのデータ線１１４ａ〜１１４ｆに対応する画像データをＤ１〜Ｄ６で表すことにすれば、選択回路３２１の出力データＤａは、画像データＤ１とデータｄ０から構成される。ここでデータｄ０の値は、プリチャージ電圧Ｖｐｒｅに対応する値に選ばれている。
【００９２】
次に、補正テーブル３２２は、出力データＤａに基づいてノイズ成分に相当する補正データＤｈを生成するものである。この補正テーブル３２２は、画像データＤ１の取り得る値と補正データＤｈの値とを対応付けて記憶している。ここで、補正データＤｈは、画像データＤ１の値とプリチャージ電圧Ｖｐｒｅに対応する値との差分値に応じて、ノイズ成分を相殺できるように予め定められている。プリチャージ電圧Ｖｐｒｅは予め定められているから、補正データＤｈの値と画像データＤ１の値とは１対１に対応する。換言すれば、補正テーブル３２２は、プリチャージ電圧Ｖｐｒｅを考慮して、補正データＤｈの値と画像データＤ１の値とを関連付けて記憶している。
【００９３】
ところで、画像データＤ１の値とプリチャージ電圧Ｖｐｒｅに対応する値とが一致する場合には、データ線１１４ａに印加される電圧が、プリチャージ電圧Ｖｐｒｅから画像信号の電圧に切り替わったとしても、電圧変化が発生しないので、ノイズ成分が発生しない。したがって、この場合の補正データＤｈの値は“０”となるように設定されている。一方、データｄ０の値は、プリチャージ電圧Ｖｐｒｅに対応する値に選ばれている。このため、データｄ０が補正テーブル３２２に供給されると、補正テーブル３２２は、データ値が“０”となる補正データＤｈを出力する。
【００９４】
次に、加算回路３２３は、第１ラッチ回路３２０の出力データＤｔと補正データＤｈを加算して、画像データＤｔ’を生成するようにように構成されている。また、第２ラッチ回路３２５は、画像データＤｔ’をクロックＣＫによってラッチして画像データＤＶＩＤを出力するようになっている。くわえて、Ｄ／Ａ変換器３２５は画像データＤＶＩＤをデジタル信号からアナログ信号に変換して、画像信号ＶＩＤを生成するように構成されている。
なお、他の構成については、従来の液晶装置と同様であるので、別段、説明を要しないであろう。
【００９５】
＜第２実施形態の動作＞
次に、この液晶表示装置における動作について説明する。図５は、画像処理回路３００Ｂの動作を説明するためのタイミングチャートである。なお、この図においてＤＸＹと表した場合の添字Ｘは、当該データが１つブロックにおいてブロックの走査方向の順に数えて何番目のデータ線に対応するかを表しており、また、添字Ｙは何番目のブロックかに該当するものかを表すものとする。例えば、Ｄ１ｎ＋１は、ブロック中の第１番目のデータ線に対応しており、当該ブロックはｎ＋１番目のものであることを表している。
【００９６】
まず、タイミング発生回路２００は、画像データＤの各サンプルに対応したクロックＣＫを生成する。また、タイミング発生回路２００は、このクロックＣＫに同期するとともに、各ブロック中の第１番目のデータ線に供給する画像データＤ１を特定するスイッチパルスＳＷＰを生成する。
【００９７】
このスイッチパルスＳＷＰが選択回路３２０に供給されると、選択回路３２０はスイッチパルスＳＷＰがＨレベルの期間、画像データＤを選択することにより、画像データＤ１を出力する一方、スイッチパルスＳＷＰがＬレベルの期間、データｄ０を選択出力する。これにより、図に示す出力データＤａを得ることができる。
【００９８】
この出力データＤａが補正テーブル３２２に供給されると、図に示すように画像データＤ１ｎ、Ｄ１ｎ＋１、Ｄ１ｎ＋２、…が供給される期間にあっては、データＤ１ｎ’、Ｄ１ｎ＋１’、Ｄ１ｎ＋２’、…が補正データＤｈとして出力される一方、データｄ０が供給される期間にあっては、その値が“０”となる補正データＤｈが出力される。
【００９９】
したがって、加算回路３２３において、補正データＤｈと出力データＤｔとを加算すると、図に示すように、出力データＤｔにおいて各ブロックのデータ線１１４ｆに対応するデータＤ６ｎ−１、Ｄ６ｎ、Ｄ６ｎ＋１、…を、データＤ６ｎ−１＋Ｄ１ｎ’、Ｄ６ｎ＋Ｄ１ｎ＋１’、Ｄ６ｎ＋１＋Ｄ１ｎ＋２’、…に各々置換したデータＤｔ’が得られる。なお、加算回路３２３の演算によって、遅延時間が生じるため、データＤｔ’はクロックＣＫに対して若干位相が遅れたものとなる。このため、第２ラッチ回路３２４において、データＤｔ’をラッチすることによって、図に示す画像データＤＶＩＤを生成している。
【０１００】
このようにして生成された画像データＤＶＩＤにおいて、各ブロックのデータ線１１４ｆに対するデータは、隣接するブロックのデータ線１１４ａから混入するノイズ成分を相殺できるように補正されている。したがって、画像データＤＶＩＤをＤ／Ａ変換器３２５を介して得られる画像信号ＶＩＤに基づいて、相展開し、これを増幅・反転した各画像信号ＶＩＤ１〜ＶＩＤ５、ＶＩＤ６’は、第１実施形態のものと一致する。このため、液晶表示パネル１００の動作は、図３を用いて第１実施形態で説明したのと同様に、あるブロックのデータ線１１４ａの電位がプリチャージ電圧から遷移することにより、その電位差に応じたノイズ成分が直前のブロックのデータ線１１４ｆに重畳したとしても、ノイズ成分が相殺される。この結果、各ブロックＢ１〜Ｂｍの右端部に位置するデータ線１１４ｆは、本来の書込電位を維持するので、各ブロックＢ１〜Ｂｍの境目における輝度ムラの発生が抑えられることとなる。
【０１０１】
〔第３実施形態〕
第３実施形態は、第２実施形態と同様に、入力される画像信号が画像データＤとして供給される液晶表示装置に関するものである。図６は、第３実施形態の液晶表示装置の全体構成を示すブロック図である。この液晶表示装置は、Ｄ／Ａ変換器３２５を削除するとともに画像データＤＶＩＤが相展開回路３０１’に直接供給される点、相展開回路３０１’はデジタル回路により構成される点、および相展開回路３０１’と増幅・反転回路３０２との間に６入力出力のＤ／Ａ変換器３２５’を設けた点において、図４に示す第２実施形態の液晶表示装置と相違する。
【０１０２】
一般に、アナログ信号の形態で相展開を行う相展開回路では、展開数に応じた複数のサンプルホールド回路が必要となる。各サンプルホールド回路のホールドコンデンサの容量値等がばらつくと、サンプルホールド回路間でゲイン特性に差が生じるため、高精度のホールドコンデンサ等を使用する必要がある。
本実施形態においては、デジタル回路で構成された相展開回路３０１’を使用するので、相展開を高品質で行うことが可能となる。
【０１０３】
〔第４〜第６実施形態の概要〕
上述した第１〜第３実施形態にあっては、次のブロックに属するデータ線１１４ａの電圧変化量を、プリチャージ電圧Ｖｐｒｅとデータ線１１４ａに対応する画像信号との差電圧を求め、これに基づいて当該ブロックに属するデータ線１１４ｆに対応する画像信号を補正した。
【０１０４】
ところで、図１６に示すサンプリング回路１３０は、上述したように複数のスイッチ１３１を備えており、各スイッチ１３１はｎチャンネル型のＴＦＴから構成されている。そして、スイッチ１３１のソース電極には画像信号が供給される一方、そのドレイン電極にはデータ線１１４が接続されている。このようなスイッチ１３１においては、ソース電極の電圧に応じて、ソース−ドレイン間の降下電圧が変化してしまう。より具体的には、ソース電極の電圧が下がるにつれて、ソース−ドレイン間の降下電圧が大きくなるプッシュダウンと呼ばれる現象が起きる。
【０１０５】
一方、液晶に直流電圧を印加すると、その特性が劣化することから、上述した各実施形態にあっては、極性反転信号Ｚに基づいて画像信号の極性を対向基板の電位を基準として、例えば、１水平走査周期で反転するようにしていた。このため、極性反転信号Ｚが正極性を示す場合には、比較的高電圧の画像信号がスイッチ１３１のソース電極に印加される一方、極性反転信号Ｚが負極性を示す場合には、比較的低電圧の画像信号がソース電極に印加されることになる。つまり、画像信号の極性が正極性の場合にはソース−ドレイン間の降下電圧が小さく、画像信号の極性が負極性の場合にはソース−ドレイン間の降下電圧が大きい。
【０１０６】
上述したように、画像信号の補正量は、プリチャージ電圧Ｖｐｒｅと次のブロックに属するデータ線１１４ａに対応する画像信号の電圧によって決まる。ここで、データ線１１４ａに対応する画像信号の電圧は、厳密には極性反転に応じたプッシュダウンの影響を受けることになる。換言すれば、同じ階調値を示す画像信号であっても、極性反転信号Ｚの示す極性が正極性か負極性かによって、スイッチ１３１の降下電圧値が相違する。
【０１０７】
以下に述べる第４〜第６実施形態は、上述した第１〜第３実施形態に各々対応するものであって、極性反転に伴うスイッチ１３１の降下電圧を考慮にいれてより正確に画像信号を補正して、各ブロックＢ１〜Ｂｍの境目における輝度ムラをより一層低減させることを目的とするものである。
【０１０８】
〔第４実施形態〕
第４実施形態にかかるアクティブ・マトリクス型の液晶表示装置について説明する。なお、この例では液晶表示装置に入力される画像信号は、第１実施形態と同様にアナログ信号である。
【０１０９】
図７は、第４実施形態に係る液晶表示装置の全体構成を示すブロック図である。本実施形態にかかる液晶表示装置は、画像処理回路３００Ｄにおいて、補正回路３１１の替わりに補正回路３１１Ｄを用いる点を除いて、図１に示す第１実施形態の液晶表示装置と同様に構成されている。
【０１１０】
補正回路３１１Ｄは、ノイズの起因となるデータ線１１４ａの電圧変化を予め予測するとともに、データ線１１４ａからデータ線１１４ｆへの伝送特性を予め特定しておき、予測結果と予め特定した伝送特性に基づいてノイズ成分に見合う補正信号ＶＩＤ１’を生成する点では、第１実施形態の補正回路３１１と一致するが、データ線１１４ａの電圧変化を予測する手法が異なる。
【０１１１】
図８は、補正回路３１１Ｄの機能構成を示すブロック図である。この図に示すように補正回路３１１Ｄは、降下電圧算出回路３１１１、書込電圧算出回路３１１２、および補正信号生成回路３１１３から構成されている。
【０１１２】
スイッチ１３１の降下電圧Ｖｄは、スイッチ１３１のソース電極電圧が低くなる程大きくなるが、ソース電極電圧は、画像信号ＶＩＤａ１とその極性によって一意に定まる。降下電圧算出回路３１１１は、画像信号ＶＩＤａ１と極性反転信号Ｚとに基づいて、スイッチ１３１の降下電圧Ｖｄを算出する。
【０１１３】
次に、書込電圧算出回路３１１２は、降下電圧Ｖｄと画像信号ＶＩＤａ１とに基づいて、データ線１１４ａへの書込電圧ＶＩＤａ１’を算出し、さらに、補正信号生成回路３１１３は書込電圧ＶＩＤａ１’とプリチャージ電圧Ｖｐｒｅに基づいて補正信号ＶＩＤ１’を生成するように構成されている。
【０１１４】
このように、第４実施形態に係る補正回路３１１Ｄにおいては、画像信号ＶＩＤａ１と極性反転信号Ｚとに基づいて、スイッチ１３１の降下電圧Ｖｄを算出し、算出された降下電圧Ｖｄが反映されるように補正信号ＶＩＤ１’を生成したので、極性反転に伴って補正量の変化させることができ、各ブロックＢ１〜Ｂｍの境目における輝度ムラをより一層低減させ表示画像の品質をより一層向上させることができる。
【０１１５】
〔第５実施形態〕
第５実施形態にかかるアクティブ・マトリクス型の液晶表示装置について説明する。なお、この例では液晶表示装置に入力される画像信号は、第２実施形態と同様にデジタル信号である。
【０１１６】
図９は、第５実施形態に係る液晶表示装置の全体構成を示すブロック図である。本実施形態にかかる液晶表示装置は、画像処理回路３００Ｅにおいて、補正テーブル３２２の替わりに補正テーブル回路３２２Ｅを用いる点を除いて、図４に示す第２実施形態の液晶表示装置と同様に構成されている。
【０１１７】
図に示すように補正テーブル回路３２２Ｅは、第１選択回路３２２１、正極性用補正テーブル３２２２、負極性用補正テーブル３２２３、および第２選択回路３２２４を備えている。
【０１１８】
まず、第１選択回路３２２１は、極性反転信号Ｚの示す極性が正極性のとき出力データＤａを正極性用補正テーブル３２２２に供給する一方、その極性が負極性のとき出力データＤａを負極性用補正テーブル３２２３に供給する。
【０１１９】
次に、正極性用補正テーブル３２２２と負極性用補正テーブル３２２３には、画像データＤ１の取り得る値と補正データＤｈの値とを対応付けて記憶している。ここで、補正データＤｈは、画像データＤ１の値とプリチャージ電圧Ｖｐｒｅに対応する値との差分値に応じて、ノイズ成分を相殺できるように予め定められている。より具体的には、ソース電極電圧に応じて変化するスイッチ１３１の降下電圧Ｖｄを考慮した補正データＤｈが、各テーブル３２２２，３２２３に各々格納されている。
【０１２０】
次に、第２選択回路３２２４は、極性反転信号Ｚの示す極性が正極性のとき正極性用補正テーブル３２２２の出力データを選択する一方、負極性のとき負極性用補正テーブル３２２３の出力データを選択して、これを補正データＤｈとして加算回路３２３に供給する。
なお、補正テーブル回路３２２Ｅ以外の構成部分は、第２実施形態の液晶表示装置と同様であるので、別段説明を要しないであろう。
【０１２１】
このように、第５実施形態に係る補正テーブル回路３２２Ｅにおいては、予め降下電圧Ｖｄを考慮した正極性用補正テーブル３２２２と負極性用補正テーブル３２２４とを別々に用意しておき、極性反転信号Ｚに基づいてこれを選択するようにしたので、降下電圧Ｖｄを反映させた補正データＤｈに基づいて補正を行うことができるので、極性反転に伴って補正量の変化させることができ、各ブロックＢ１〜Ｂｍの境目における輝度ムラをより一層低減させ表示画像の品質をより一層向上させることができる。
【０１２２】
〔第６実施形態〕
第６実施形態は、第３実施形態と同様に、入力される画像信号が画像データＤとして供給される液晶表示装置に関するものである。図１０は、第６実施形態の液晶表示装置の全体構成を示すブロック図である。この液晶表示装置は、画像処理回路３００Ｆにおいて、補正テーブル３２２の替わりに補正テーブル回路３２２Ｅを用いる点を除いて、図６に示す第３実施形態の液晶表示装置と同様に構成されている。
【０１２３】
すなわち、図１０に示す液晶表示装置は、図６に示す液晶表示装置に上述した第５実施形態の補正テーブル回路３２２Ｅを適用したものである。このため、第５実施形態と同様に、本実施形態の液晶表示装置は、予め降下電圧Ｖｄを考慮した正極性用補正テーブル３２２２と負極性用補正テーブル３２２４とを別々に用意しておき、極性反転信号Ｚに基づいてこれを選択するから、降下電圧Ｖｄを反映させた補正データＤｈに基づいて補正を行うことができる。この結果、極性反転に伴って補正量の変化させることができ、各ブロックＢ１〜Ｂｍの境目における輝度ムラをより一層低減させ表示画像の品質をより一層向上させることができる。
くわえて、本実施形態においては、デジタル回路で構成された相展開回路３０１’を使用するので、相展開を高品質で行うことが可能となる。
【０１２４】
〔第７実施形態〕
第７実施形態は、第２実施形態における、補正データを画像データの値とプリチャージ電圧に対応する値との差分値に応じて予め定めるものに対して、補正データを画像データの値に応じて予め定めるものである。
【０１２５】
したがって、第２実施形態と同一の機能を備えるものに対しては同一の符号を付し、詳細は省略する。
【０１２６】
まず、電気光学装置の一例として、第７実施形態にかかるアクティブ・マトリクス型の液晶表示装置について説明する。なお、この例では液晶表示装置に入力される画像信号はデジタル信号であり、入力画像データＤとして供給される。
【０１２７】
図１１は、第７実施形態に係る液晶表示装置の全体構成を示すブロック図である。本実施形態にかかる液晶表示装置は、輝度ムラを解消するために、画像処理回路３００Ｂにおいて、第１ラッチ回路３２０、選択回路３２１、補正テーブル３２２、加算回路３２３、第２ラッチ回路３２４、およびＤ／Ａ変換器３２５を備える。
【０１２８】
まず、第１ラッチ回路３２０は、タイミング発生回路２００から供給されるクロックＣＫに基づいて、入力画像データＤをラッチする。これにより、入力画像データＤに対して１サンプル遅延した画像データＤｔが得られる。
【０１２９】
次に、選択回路３２１は、タイミング発生回路２００から供給されるスイッチパルスＳＷＰに基づいて、入力画像データＤを選択する。具体的には、スイッチパルスＳＷＰがＨレベルのとき、入力画像データＤを選択出力するように構成されている。ここで、スイッチパルスＳＷＰは、ブロック周期の信号であり、ブロックの開始直後の１サンプリング期間にＨレベルとなる。
【０１３０】
したがって、各ブロックのデータ線１１４ａ〜１１４ｆに対応する画像データをＤ１〜Ｄ６で表すことにすれば、選択回路３２１の出力データＤａは、画像データＤ１から構成される。
【０１３１】
次に、補正テーブル３２２は、出力データＤａに基づいてノイズ成分に相当する補正データＤｈを生成するものである。この補正テーブル３２２は、画像データＤ２の取り得る値と補正データＤｈの値とを対応付けて記憶している。ここで、補正データＤｈは、画像データＤ２の値に基づいて格納されている。
【０１３２】
次に、加算回路３２３は、第１ラッチ回路３２０の出力データＤｔと補正データＤｈを加算して、画像データＤｔ’を生成するようにように構成されている。また、第２ラッチ回路３２５は、画像データＤｔ’をクロックＣＫによってラッチして画像データＤＶＩＤを出力するようになっている。くわえて、Ｄ／Ａ変換器３２５は画像データＤＶＩＤをデジタル信号からアナログ信号に変換して、画像信号ＶＩＤを生成するように構成されている。
【０１３３】
なお、他の構成については、従来の液晶装置と同様であるので、別段、説明を要しないであろう。
【０１３４】
このように、第７実施形態に係る補正テーブル３２２においては、画像データＤ２の値と、補正データＤｈの値とを関連付けて記憶されることで、各ブロックの境目における輝度ムラの発生を抑えることができる。
【０１３５】
〔応用例〕
（１）後述するように、液晶表示装置はビデオプロジェクタの画像形成に用いられる場合がある。ビデオプロジェクタでは、床面に装置を据え置いて使用する場合と、装置の底面を天井に向けて天井からつり下げて使用する場合がある。このように使用態様を変更すると、スクリーンに対する液晶パネルの位置関係が上下左右逆転してしまう。このため、液晶パネルにおける走査方向を上下方向、左右方向ともに逆転させる必要がある。
【０１３６】
上述した第１乃至第６実施形態にあっては、図１２（ａ）に示すようにブロックの選択方向が左から右であったため、各ブロックＢ１〜Ｂｍの右端部に位置するデータ線１１４ｆがノイズの影響を受けるデータ線であり、これに隣接するデータ線１１４ａがノイズを発生するデータ線であった。しかし、データ線の走査方向を逆転させる場合には、図１２（ｂ）に示すようにブロックの選択方向が右から左となる。この場合には、各ブロックＢ１〜Ｂｍの左端部に位置するデータ線１１４ａがノイズの影響を受けるデータ線であり、これに隣接するデータ線１１４ｆがノイズを発生するデータ線となる。これは、既に書き込みが終了してハイインピーダンス状態となったデータ線に、結合容量を介して隣接するデータ線の電圧変化がノイズとして重畳するからである。
【０１３７】
このようにブロックの選択方向を切り換える場合には、液晶表示装置の前段に１フィールドの画像データを格納できる画像メモリを２個設け、一方の画像メモリに画像データを書き込んでいる間に、他方の画像メモリから画像データを読み出して、この画像データを液晶表示装置に供給する。そして、画像データを画像メモリから読み出す際に画像データの書き込み順序とは逆に、後に書き込んだ画像データを先に読み出す。このため、ノイズ成分の影響を受けるデータ線１１４ａに対応する画像データが、ノイズを発生するデータ線に対応した画像データより先に供給される。換言すれば、ノイズの観点からみた画像データの供給順序は、ブロックの選択方向を反転させても変わらないことになる。
【０１３８】
したがって、ブロックの選択方向の正転・反転に対応するためには、上述した第１乃至第６実施形態で説明した液晶表示装置において、相展開回路３０１、３０１’に転送方向を指示する制御信号を供給し、制御信号に基づいて、相展開回路３０１、３０１’で生成する画像信号ＶＩＤ１〜ＶＩＤ６’と出力端子との関係を逆転させればよい。具体的には、制御信号が正転を指示する場合に第１番目の出力端子から画像信号ＶＩＤ１、第２番目の出力端子から画像信号ＶＩＤ１、…、第６番目の出力端子から画像信号ＶＩＤ６’を各々出力するとすれば、制御信号が逆転を指示する場合に第１番目の出力端子から画像信号ＶＩＤ６’、第２番目の出力端子から画像信号ＶＩＤ５、…、第６番目の出力端子から画像信号ＶＩＤ１を各々出力するようにすればよい。
【０１３９】
（２）また、上述した各実施形態では、各ブロックＢ１〜Ｂｍを順次選択するとともに、選択された１つのブロックに属する６本のデータ線１１４に対し、６相展開された画像信号ＶＩＤ１〜ＶＩＤ６を同時にサンプリングして供給する構成したが、この相展開の数および同時に供給するデータ線の数（すなわち、１つのブロックを構成するデータ線の数）は、「６」に限られるものではない。相展開の数および同時に印加するデータ線の数としては、カラーの画像信号が３つの原色に係る信号からなることとの関係から、３の倍数であることが制御や回路を簡易化する上で好ましい。このため、１つのブロックを構成するデータ線数を、３本や、１２本、２４本、……、等として、データ線に対して３相展開や、１２相展開、２４相展開等されて並列供給された画像信号を同時に供給するように構成しても良い。
【０１４０】
（３）上述した各実施形態においては、加算回路３１２、３２３を用いて画像信号ＶＩＤ６または画像データＤｔの補正を行った。しかし、補正を加算で行うか減算で行うかは、プリチャージ電圧とノイズを発生するデータ線に印加される階調に対応する電圧に依存する。要はノイズ成分を相殺できるように予め画像信号または画像データに補正信号または補正データを含ませておけば良い。したがって、加算回路は、画像信号と補正信号を合成する合成回路または、画像データと補正データとを合成する合成回路であってもよい。
【０１４１】
（４）また、上述した各実施形態では、ブロックの選択を行う前にプリチャージを行うことを前提として説明したが、本発明は、ブロックの選択に伴ってノイズが発生するデータ線を特定し、当該データ線の電圧変化に基づいて、ノイズが混入するデータ線に供給する画像信号に予めノイズを相殺できるように補正を施すことにより、ブロックの境界で発生する輝度ムラを抑圧するものであるから、プリチャージを行わないものであってもよいことは勿論である。要は、選択中のブロックに属するのデータ線のうち直前に選択されたブロックに隣接する第１のデータ線には、直前に選択されたブロックに属し第１のデータ線に隣接する第２のデータ線に供給する画像信号に基づいて、第１のデータ線に対応する画像信号を、ノイズが相殺できるように補正して、供給すればよい。
【０１４２】
〔電子機器〕
次に、上述した液晶表示装置を電子機器に用いた例のいくつかについて説明する。
【０１４３】
＜プロジェクタ＞
まず、この液晶表示装置をライトバルブとして用いたプロジェクタについて説明する。図１３は、このプロジェクタの構成例を示す平面図である。
【０１４４】
この図に示すように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【０１４５】
液晶パネル１１１０Ｒ、１１１０Ｂおよび１１１０Ｇの構成は、上述した液晶表示パネル１００と同等であり、図示しない画像信号処理回路から供給されるＲ、Ｇ、Ｂの原色信号でそれぞれ駆動される。さて、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【０１４６】
ここで、各液晶パネル１１１０Ｒ、１１１０Ｂおよび１１１０Ｇによる表示像について着目すると、液晶パネル１１１０Ｇによる表示像は、液晶パネル１１１０Ｒ、１１１０Ｂによる表示像に対して左右反転することが必要となる。すなわち、液晶パネル１１１０Ｇにおけるブロック選択方向は、液晶パネル１１１０Ｒ、１１１０Ｂにおけるブロック選択方向とは逆になるため、液晶パネル１１１０Ｇに供給されるプリチャージ信号ＮＲＳ１、ＮＲＳ２と、液晶パネル１１１０Ｇに供給されるプリチャージ信号ＮＲＳ１、ＮＲＳ２との大小関係は互いに逆の関係にある。
【０１４７】
なお、液晶パネル１１１０Ｒ、１１１０Ｂおよび１１１０Ｇには、ダイクロイックミラー１１０８によって、Ｒ、Ｇ、Ｂの各原色に対応する光が入射するので、対向基板にカラーフィルタを設ける必要はない。
【０１４８】
＜モバイル型コンピュータ＞
次に、この液晶表示装置を、モバイル型のコンピュータに適用した例について説明する。図１４は、このコンピュータの構成を示す正面図である。図において、コンピュータ１２００は、キーボード１２０２を備えた本体部１２０４と、液晶ディスプレイ１２０６とから構成されている。この液晶ディスプレイ１２０６は、先に述べた液晶表示パネル１００の背面にバックライトを付加することにより構成されている。
【０１４９】
なお、図１３および図１４を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、携帯電話、テレビ電話、ＰＯＳ端末、タッチパネルを備えた装置等などが挙げられる。そして、本発明にかかるこれらの各種電子機器に適用可能なのは言うまでもない。
【０１５０】
さらに、本発明は、アクティブマトリクス型液晶表示装置としてＴＦＴを用いたもの例にとって説明したが、これに限られず、スイッチング素子としてＴＦＤ（Ｔｈｉｎ  Ｆｉｌｍ  Ｄｉｏｄｅ：薄膜ダイオード）を用いたものや、ＳＴＮ液晶を用いたパッシブ型液晶などにも適用可能であり、さらに、液晶表示装置に限られず、エレクトロ・ルミネッセンス素子など、各種の電気光学効果を用いて表示を行う表示装置にも適用可能である。
【０１５１】
【発明の効果】
以上説明したように本発明によれば、ノイズの影響を受けるブロックの境目のデータ線に対応する画像信号に予め補正を施すようにしたので、補正された画像信号を当該データ線に供給してもノイズが相殺されるので、ブロックの境目において発生する輝度ムラを目立たなくすることが可能となる。
【図面の簡単な説明】
【図１】本発明の第１実施形態にかかる液晶表示装置の全体構成を示すブロック図である。
【図２】同液晶表示装置における画像表示回路の動作を示すタイミングチャートである。
【図３】同液晶表示パネルの動作を示すタイミングチャートである。
【図４】本発明の第２実施形態にかかる液晶表示装置の全体構成を示すブロック図である。
【図５】同液晶表示装置における画像表示回路の動作を示すタイミングチャートである。
【図６】本発明の第３実施形態にかかる液晶表示装置の全体構成を示すブロック図である。
【図７】本発明の第４実施形態にかかる液晶表示装置の全体構成を示すブロック図である。
【図８】同実施形態に用いられる補正回路の構成を示すブロック図である。
【図９】本発明の第５実施形態にかかる液晶表示装置の全体構成を示すブロック図である。
【図１０】本発明の第６実施形態にかかる液晶表示装置の全体構成を示すブロック図である。
【図１１】本発明の第７実施形態にかかる液晶表示装置の全体構成を示すブロック図である。
【図１２】（ａ）はブロックの選択方向が左から右である場合においてノイズの影響を受けるデータ線を示したものであり、（ｂ）はブロックの選択方向が右から左である場合においてノイズの影響を受けるデータ線を示した図である。
【図１３】第１〜第７実施形態の液晶表示装置を適用した電子機器の一例たる液晶プロジェクタの構成を示す断面図である。
【図１４】同液晶表示装置を適用した電子機器の一例たるパーソナルコンピュータの構成を示す正面図である。
【図１５】従来の液晶表示装置の全体構成を示すブロック図である。
【図１６】従来の液晶表示装置における液晶表示パネルの電気的構成を示すブロック図である。
【図１７】従来の液晶表示装置の動作を示すタイミングチャートである。
【符号の説明】
１００……液晶表示パネル
１１２……走査線
１１４ａ〜１１４ｆ……データ線
１１６……ＴＦＴ
１１８……画素電極
３００Ａ、３００Ｂ、３００Ｃ、３００Ｄ、３００Ｅ、３００Ｆ……画像処理回路
３０１、３０１’……相展開回路（並列化手段）
３１０……第１サンプルホールド回路（補正手段）
３１１、３１１Ｄ……補正回路（補正手段）
３１２、３２３……加算回路（補正手段、合成回路）
３２１……選択回路（補正手段）
３２２……補正テーブル（補正手段、記憶回路）
３２２Ｄ……補正テーブル回路（補正手段）
３１１１……降下電圧算出回路（第１算出回路）
３１１２……書込電圧算出回路（第２算出回路）
３２２２……正極性用補正テーブル（第１記憶回路）
３２２３……負極性用補正テーブル（第２記憶回路）
【図１】
0003570362.tif 000002
【図２】
0003570362.tif 000003
【図３】
0003570362.tif 000004
【図４】
0003570362.tif 000005
【図５】
0003570362.tif 000006
【図６】
0003570362.tif 000007
【図７】
0003570362.tif 000008
【図８】
0003570362.tif 000009
【図９】
0003570362.tif 000010
【図１０】
0003570362.tif 000011
【図１１】
0003570362.tif 000012
【図１２】
0003570362.tif 000013
【図１３】
0003570362.tif 000014
【図１４】
0003570362.tif 000015
【図１５】
0003570362.tif 000016
【図１６】
0003570362.tif 000017
【図１７】
0003570362.tif 000018